(57)【要約】      （修正有）【課題】終端部材の軸部に軸心周りの力が加わったときに、終端部材と該終端部材に隣接する隣接部材との係合部位に加わる力が抑えられる蓄電装置の提供。【解決手段】蓄電素子と隣接する隣接部材２と、蓄電素子と反対側において隣接部材と隣接する終端部材と、を備え、終端部材は、隣接部材に沿って広がる本体４２と、頭部４３１と頭部から延びる軸部４３２とを有し且つ本体に対して隣接部材側から軸部を挿通させた状態で取り付けられているボルト部材４３と、を有し、隣接部材は、軸部の軸心方向に突出する凸部を有し、凸部は、軸心方向における軸部の投影領域と少なくとも一部が重なる位置において本体に挿入されている、蓄電装置。【選択図】図５
2019053826.tif 000002
【特許請求の範囲】
【請求項１】
蓄電素子と隣接する隣接部材と、
前記隣接部材に対して前記蓄電素子と反対側において隣接する終端部材と、を備え、
前記終端部材は、
前記隣接部材に沿って広がる本体と、
前記隣接部材と反対側に前記本体から突出する軸部と、を有し、
前記隣接部材又は前記終端部材は、前記軸部の軸心方向に突出する凸部を有し、
前記凸部は、前記軸心方向における前記軸部の投影領域と少なくとも一部が重なる位置において前記本体又は前記隣接部材に挿入されている、蓄電装置。
【請求項２】
前記隣接部材は、前記凸部を有し、
前記本体は、
前記軸部が取り付けられている第一部位と、
前記軸心方向から見て少なくとも前記軸部と重なる領域において、前記第一部位と前記軸心方向に間隔をあけて配置される第二部位と、を有し、
前記第二部位は、前記凸部が挿入される凸部挿入孔又は凸部挿入凹部を有する、請求項１に記載の蓄電装置。
【請求項３】
頭部と該頭部から延びる前記軸部とを有し且つ前記本体に対して前記隣接部材側から前記軸部を挿通させた状態で前記第一部位に取り付けられているボルト部材を備え、
前記第二部位は、前記頭部が前記第一部位との間に位置するように該第一部位と前記軸心方向に間隔をあけて配置される、請求項２に記載の蓄電装置。
【発明の詳細な説明】
【技術分野】
【０００１】
本発明は、蓄電素子と隣接する隣接部材及び該隣接部材と隣接する終端部材を備える蓄電装置に関する。
【背景技術】
【０００２】
従来から、積層された蓄電セルの積層方向両端部に一対のエンドプレートが配置された蓄電モジュールが知られている（特許文献１参照）。
【０００３】
具体的に、この蓄電モジュールは、積層方向に積層された所定個数の蓄電セルと、所定個数の蓄電セルの積層方向外側に重ね合わされる一対のエンドプレートと、を備える。一対のエンドプレートのそれぞれは、金属板をプレス成形した第一プレートと、第一プレートと一体に重ねわされる平坦な金属板よりなる第二プレートとで構成される。第二プレートでは、二本のボルトが積層方向外側に突出している。
【０００４】
以上の蓄電モジュールにおいて、第二プレートから突出するボルトに軸心周りの力が加わると、該第二プレートと第一プレートの接合箇所に大きな力（トルク）が加わる。このため、第一プレートと第二プレートとは、重ね合わされて一体に溶接されている。
【先行技術文献】
【特許文献】
【０００５】
【特許文献１】特開２０１５−９９６４８号公報
【発明の概要】
【発明が解決しようとする課題】
【０００６】
本実施形態は、終端部材の軸部に軸心周りの力が加わったときに、終端部材と該終端部材に隣接する隣接部材との係合部位に加わる力が抑えられる蓄電装置を提供することを目的とする。
【課題を解決するための手段】
【０００７】
本実施形態の蓄電装置は、
蓄電素子と隣接する隣接部材と、
前記隣接部材に対して前記蓄電素子と反対側において隣接する終端部材と、を備え、
前記終端部材は、
前記隣接部材に沿って広がる本体と、
前記隣接部材と反対側に前記本体から突出する軸部と、を有し、
前記隣接部材又は前記終端部材は、前記軸部の軸心方向に突出する凸部を有し、
前記凸部は、前記軸心方向における前記軸部の投影領域と少なくとも一部が重なる位置において前記本体又は前記隣接部材に挿入されている。
【０００８】
軸部に軸心周りの力が加わった場合、軸心方向と直交する方向の軸部（軸心）からの距離が大きくなるほど、隣接部材と終端部材との係合部位（即ち、隣接部材の凸部（又は終端部材の凸部））に加わる力（トルク等の前記軸部の軸心周りに加わる力に起因する力）が大きくなる。しかし、上記構成によれば、隣接部材の凸部（又は終端部材の凸部）が前記軸心方向における軸部の投影領域と少なくとも一部が重なる位置において終端部材の本体（又は隣接部材）に挿入されているため、前記距離（軸心方向と直交する方向の軸部（軸心）からの距離）が十分に小さくなり、これにより、軸部に対して軸心周りの力が加わったときの凸部に加わる力を抑えることができる。
【０００９】
前記蓄電装置は、
前記隣接部材は、前記凸部を有し、
前記本体は、
前記軸部が取り付けられている第一部位と、
前記軸心方向から見て少なくとも前記軸部と重なる領域において、前記第一部位と前記軸心方向に間隔をあけて配置される第二部位と、を有し、
前記第二部位は、前記凸部が挿入される凸部挿入孔又は凸部挿入凹部を有してもよい。
【００１０】
かかる構成によれば、本体が少なくとも部分的に（軸心方向から見て軸部と重なる領域が）二重構造となっているため、終端部材の強度が十分に確保される。しかも、凸部が終端部材において軸部が取り付けられた部位と異なる位置にある第二部位に挿入されているため、例えば、軸部の基部（本体側の端部）等に凹部を設けて該凹部に隣接部材の凸部を挿入させる必要がなく、これにより、軸部の形状等による制約を受けずに凸部の形状等が設定できる。即ち、凸部の形状等の設計の自由度が大きい。
【００１１】
前記蓄電装置は、
頭部と該頭部から延びる前記軸部とを有し且つ前記本体に対して前記隣接部材側から前記軸部を挿通させた状態で前記第一部位に取り付けられているボルト部材を備え、
前記第二部位は、前記頭部が前記第一部位との間に位置するように該第一部位と前記軸心方向に間隔をあけて配置されてもよい。
【００１２】
このように、第一部位と第二部位との間に間隔を設け、この間隔にボルト部の頭部を位置させることで、終端部材に対する隣接部材の配置においてボルト部の頭部が邪魔にならない。
【発明の効果】
【００１３】
以上より、本実施形態によれば、終端部材の軸部に軸心周りの力が加わったときに、終端部材と該終端部材に隣接する隣接部材との係合部位に加わる力が抑えられる蓄電装置を提供することができる。
【図面の簡単な説明】
【００１４】
【図１】図１は、本実施形態に係る蓄電装置の斜視図である。
【図２】図２は、前記蓄電装置の一部を省略した状態の分解斜視図である。
【図３】図３は、前記蓄電装置の終端隣接部材の斜視図である。
【図４】図４は、前記終端隣接部材の斜視図である。
【図５】図５は、図１のＶ−Ｖ位置における終端部材と前記終端隣接部材との断面図である。
【図６】図６は、図１のＶＩ−ＶＩ位置における終端部材と前記終端隣接部材との断面図である。
【図７】図７は、一対の終端部材のうちの一方の終端部材の斜視図である。
【図８】図８は、前記一方の終端部材の斜視図である。
【図９】図９は、前記一対の終端部材のうちの他方の終端部材の斜視図である。
【図１０】図１０は、前記他方の終端部材の斜視図である。
【図１１】図１１は、他実施形態に係る蓄電装置における終端部材と終端隣接部材との断面図である。
【発明を実施するための形態】
【００１５】
以下、本発明の一実施形態について、図１〜図１０を参照しつつ説明する。尚、本実施形態の各構成部材（各構成要素）の名称は、本実施形態におけるものであり、背景技術における各構成部材（各構成要素）の名称と異なる場合がある。
【００１６】
蓄電装置は、図１及び図２に示すように、蓄電素子１０と、蓄電素子１０と隣接する隣接部材２と、蓄電素子１０と隣接部材２とを保持する保持部材４と、を備える。本実施形態の蓄電装置１は、複数の蓄電素子１０と、複数の隣接部材２と、を備え、保持部材４は、複数の蓄電素子１０と複数の隣接部材２とをひとまとめに保持する。また、蓄電装置１は、蓄電素子１０と保持部材４との間に配置されるインシュレータ６と、異なる蓄電素子１０同士を導通可能に接続するバスバ８と、を備える。
【００１７】
複数の蓄電素子１０は、所定の方向（Ｘ軸方向）に並ぶ。これら複数の蓄電素子１０のそれぞれは、一次電池、二次電池、キャパシタ等である。本実施形態の蓄電素子１０は、充放電可能な非水電解質二次電池である。より具体的には、蓄電素子１０は、リチウムイオンの移動に伴って生じる電子移動を利用したリチウムイオン二次電池である。
【００１８】
蓄電素子１０は、電極体と、電極体を電解液と共に収容するケース１３と、少なくとも一部がケース１３の外側に露出する外部端子１４と、電極体と外部端子１４とを接続する集電体と、を備える。
【００１９】
電極体では、正極と負極とがセパレータを介して交互に積層されている。この電極体においてリチウムイオンが正極と負極との間を移動することにより、蓄電素子１０が充放電する。
【００２０】
ケース１３は、開口を有するケース本体１３１と、ケース本体１３１の開口を塞ぐ（閉じる）板状の蓋板１３２と、を有する。本実施形態のケース本体１３１は、有底角筒状であり、ケース１３は、直方体形状（六面形状）である。本実施形態のケース１３は、扁平な直方体形状であり、複数の蓄電素子１０は、ケース１３（ケース本体１３１）の幅広な面（壁部）を対向させた状態で、Ｘ軸方向に並んでいる。
【００２１】
以下では、複数の蓄電素子１０が並ぶ方向を直交座標系のＸ軸、ケース本体１３１の幅狭な一対の面（壁部）が対向する方向を直交座標系のＹ軸、蓋板１３２の法線方向を直交座標系のＺ軸とする。
【００２２】
隣接部材２は、図１及び図２に示すように、Ｘ軸方向に並ぶ蓄電素子１０の間、又は蓄電素子１０と該蓄電素子１０に対してＸ軸方向に並ぶ部材（本実施形態の例では、保持部材４の一部）との間に配置される。この隣接部材２は、複数種の隣接部材を含む。本実施形態の隣接部材２は、Ｘ軸方向の途中位置にある蓄電素子１０と隣接する中間隣接部材２１と、Ｘ軸方向において最も端にある蓄電素子１０の外側で該蓄電素子１０と隣接する終端隣接部材（隣接部材）２２と、を含む。中間隣接部材２１は、各蓄電素子１０間に配置されている。即ち、蓄電装置１は、複数の中間隣接部材２１を有する。また、終端隣接部材２２は、Ｘ軸方向の最も端に配置された蓄電素子１０の外側のそれぞれに配置されている。即ち、蓄電装置１は、一対の終端隣接部材２２を有する。
【００２３】
複数の中間隣接部材２１のそれぞれは、絶縁性を有し、Ｘ軸方向に隣り合う二つの蓄電素子１０間に配置される。この中間隣接部材２１によって、Ｘ軸方向に隣り合う二つの蓄電素子１０の間に所定の間隔（沿面距離等）が確保される。
【００２４】
具体的に、中間隣接部材２１は、Ｘ軸方向に隣り合う二つの蓄電素子１０の間に位置する板状の第一本体部２１１と、第一本体部２１１に隣接する蓄電素子１０の該第一本体部２１１に対する移動を規制する第一規制部２１２と、を有する。
【００２５】
第一本体部２１１は、蓄電素子１０のケース１３の幅広面と対向する部位であり、Ｙ−Ｚ面（Ｙ軸とＺ軸とを含む面）方向に広がる。本実施形態の第一本体部２１１は、隣接する蓄電素子１０との間に温度調整用の流体（本実施形態の例では空気）が流通可能な流路を形成する。
【００２６】
第一規制部２１２は、第一本体部２１１からＸ軸方向に延び、第一本体部２１１と隣接する蓄電素子１０（詳しくはケース１３）とＹ−Ｚ面方向の外側から当接することによって該蓄電素子１０の第一本体部２１１に対するＹ−Ｚ面方向への相対移動を規制する。本実施形態の第一規制部２１２は、第一本体部２１１からＸ軸方向の両側に向けてそれぞれ延びている。
【００２７】
一対の終端隣接部材２２のそれぞれは、絶縁性を有し、Ｘ軸方向に隣り合う蓄電素子１０と保持部材４（終端部材４１）との間に配置される。この終端隣接部材２２によって、蓄電素子１０と保持部材４（終端部材４１）との間に所定の間隔（沿面距離等）が確保される。本実施形態の一対の終端隣接部材２２のそれぞれは、同じ形状である。
【００２８】
具体的に、終端隣接部材２２は、図３及び図４にも示すように、蓄電素子１０及び保持部材４との間において蓄電素子１０と隣接する第二本体部２２１と、第二本体部２２１に対する蓄電素子１０の移動を規制する第二規制部２２２と、を有する。
【００２９】
第二本体部２２１は、Ｘ軸方向の端部に配置された蓄電素子１０のケース１３における幅広面と対向する部位であり、Ｙ−Ｚ面方向に広がる板状の部位である。この第二本体部２２１の輪郭は、蓄電素子１０のケース１３の輪郭と対応する。即ち、第二本体部２２１は、Ｘ軸方向から見て、Ｙ軸方向に長尺な矩形状である。
【００３０】
この第二本体部２２１は、終端部材４１側を向いた面（外面）２２１Ａに、該外面２２１ＡからＸ軸方向に突出する少なくとも一つの凸部２２３を有する。この凸部２２３は、図５及び図６にも示すように、有底筒状であり、略円柱面状の基部２２３１と、基部２２３１から凸部２２３の先端に向けて径が漸減するテーパー部２２３２と、によって構成される周面２２３０を有する。本実施形態の第二本体部２２１は、四つの凸部２２３を有し、これら四つの凸部２２３のそれぞれは、同じ形状である。
【００３１】
これら四つの凸部２２３は、外面２２１ＡのＹ軸方向の中央位置においてＺ軸方向に延びる仮想線αを対象軸として線対称に配置されている。また、四つの凸部２２３は、仮想線αに対して同じ角度で交差し且つ該仮想線α上において交差する二つの仮想直線の各仮想直線（仮想傾斜線Ｄ１、Ｄ２：図３参照）上に二つずつ配置されている。
【００３２】
また、第二本体部２２１は、蓄電素子１０側を向いた面（内面）２２１Ｂに、Ｙ軸方向に延びる複数の突条２２４を有する。これら複数の突条２２４は、Ｚ軸方向に間隔をあけて並ぶ。第二本体部２２１は、各突条２２４の突出方向（Ｘ軸方向）の先端を該第二本体部２２１（終端隣接部材２２）と隣り合う蓄電素子１０に当接させた状態で配置される。これにより、第二本体部２２１と隣接する蓄電素子１０との間に温度調整用の流体（本実施形態の例では空気）が流通可能な流路が形成される。
【００３３】
第二規制部２２２は、第二本体部２２１からＸ軸方向に延び、第二本体部２２１と隣接する蓄電素子１０（詳しくはケース１３）とＹ−Ｚ面方向の外側から当接することによって該蓄電素子１０の第二本体部２２１に対するＹ−Ｚ面方向への相対移動を規制する。本実施形態の第二規制部２２２は、第二本体部２２１からＸ軸方向の一方側（蓄電素子１０の配置されている側）に向けて延びている。
【００３４】
保持部材４は、図１及び図２に示すように、複数の蓄電素子１０と複数の隣接部材２との周囲を囲むことで、これら複数の蓄電素子１０及び複数の隣接部材２をひとまとめに保持する。この保持部材４は、金属等の導電性を有する部材によって構成される。具体的に、保持部材４は、Ｘ軸方向において複数の蓄電素子１０の両側に配置される一対の終端部材４１と、一対の終端部材４１を連結する連結部材４５と、を有する。
【００３５】
一対の終端部材４１のそれぞれは、Ｘ軸方向の端に配置された蓄電素子１０との間に終端隣接部材２２を挟み込むように配置される。図７〜図１０にも示すように、一対の終端部材４１のうちの一方の終端部材４１Ａの形状と、他方の終端部材４１Ｂの形状とは、対称（鏡像関係）である。
【００３６】
終端部材４１は、終端隣接部材２２に沿って広がる本体４２と、本体４２に取り付けられるボルト部材４３と、を有する。本実施形態の終端部材４１は、二つのボルト部材４３を有する。
【００３７】
二つのボルト部材４３のそれぞれは、頭部４３１と、頭部４３１から延びる軸部４３２と、を有する。頭部４３１は、Ｙ−Ｚ面方向において軸部４３２より大きい。即ち、頭部４３１は、軸部４３２の径より大きい。本実施形態の頭部４３１は、円盤状である。軸部４３２は、Ｘ軸方向に延びる雄ねじである。このボルト部材４３は、蓄電装置１が搭載又は設置等される際に、蓄電装置１を設置対象物に固定するのに用いられる。例えば、本実施形態の蓄電装置１が自動車に搭載される場合、ボルト部材４３は、蓄電装置１を該自動車の設置位置に固定するのに用いられる。
【００３８】
本実施形態の本体４２では、二つの板状の部材（平板状の部材と凹凸形状の部材と）が重ねられている。具体的に、本体４２は、Ｙ−Ｚ面方向に広がり且つボルト部材４３の軸部４３２が挿通される第一部材（第一部位）４２１と、Ｘ軸方向から見て少なくともボルト部材４３の頭部４３１と重なる領域において該頭部４３１が第一部材４２１との間に位置するように該第一部材４２１とＸ軸方向に間隔をあけて配置される第二部材（第二部位）４２２と、を有する。
【００３９】
第一部材４２１は、Ｙ−Ｚ面方向に広がる平板状である。本実施形態の第一部材４２１は、Ｚ軸方向の一方（図７及び図９における上側）の端部が折り曲げられている。第一部材４２１の輪郭は、蓄電素子１０のケース１３の輪郭と対応する。即ち、第一部材４２１は、Ｘ軸方向から見て、Ｙ軸方向に長尺な矩形状である。この第一部材４２１は、ボルト部材４３の軸部４３２が挿通される軸部挿通孔４２１Ａを有する（図５及び図６参照）。この軸部挿通孔４２１Ａは、ボルト部材４３の軸部４３２の通過を許容するが、頭部４３１の通過を許容しない。即ち、軸部挿通孔４２１Ａは、軸部４３２の径より大きく且つ頭部４３１のＹ−Ｚ面方向の大きさより小さい。本実施形態の第一部材４２１は、二つの軸部挿通孔４２１Ａを有する。これら二つの軸部挿通孔４２１Ａは、Ｙ軸方向に異なった位置で且つＺ軸方向に異なった位置（図７及び図９に示す例では、終端隣接部材２２の仮想傾斜線Ｄ１又はＤ２と対応する線上）に配置されている。
【００４０】
これら二つの軸部挿通孔４２１Ａは、終端隣接部材２２の凸部２２３と対応する位置に配置されている。例えば、一方の終端部材４１Ａの二つの軸部挿通孔４２１Ａは、第二本体部２２１の一方の仮想傾斜線Ｄ１（図３参照）上に配置される二つの凸部２２３と対応する位置に配置され、他方の終端部材４１Ｂの二つの軸部挿通孔４２１Ａは、第二本体部２２１の他方の仮想傾斜線Ｄ２（図３参照）上に配置される二つの凸部２２３と対応する位置に配置される。即ち、一方の終端部材４１Ａと他方の終端部材４１Ｂとでは、図７〜図１０に示すように、第一部材４２１の二つの軸部挿通孔４２１Ａの配置が対称（鏡像関係）である。
【００４１】
ここで、終端隣接部材２２の凸部２２３と対応する位置とは、軸部挿通孔４２１Ａにボルト部材４３の軸部４３２が挿通された状態で、該軸部４３２のＸ軸方向への投影領域Ｐ１に凸部２２３の少なくとも一部が重なるような位置である（図５及び図６参照）。
【００４２】
第二部材４２２の輪郭は、第一部材４２１の輪郭と対応する。即ち、第二部材４２２は、Ｘ軸方向から見て、Ｙ軸方向に長尺な矩形状である。この第二部材４２２は、第一部材４２１に対して内側（蓄電素子１０側）に膨らむ膨出部４２２１を有する。また、第二部材４２２は、第一部材４２１に沿った平坦部４２２２も有する。
【００４３】
膨出部４２２１は、Ｙ軸方向に延びている。本実施形態の膨出部４２２１は、Ｚ軸方向における第一部材４２１の二つの軸部挿通孔４２１Ａのそれぞれと対応するにおいて、Ｙ軸方向に延びている。即ち、第二部材４２２は、Ｚ軸方向に間隔をあけて配置される二つの膨出部４２２１を有する。尚、本実施形態の第二部材４２２では、膨出部４２２１以外の部位が平坦部４２２２である。
【００４４】
二つの膨出部４２２１のそれぞれは、終端隣接部材２２の凸部２２３が挿入される凸部挿入孔４２２１Ａを有する。即ち、凸部挿入孔４２２１Ａは、終端隣接部材２２の凸部２２３と対応する位置（Ｘ軸方向から見て重なる位置）に設けられている。また、凸部挿入孔４２２１Ａは、第一部材４２１の軸部挿通孔４２１Ａと対応する位置に設けられている。本実施形態の凸部挿入孔４２２１Ａでは、その中心が、軸部挿通孔４２１Ａの中心に対してＺ軸方向にずれている（図５及び図６に示す例では、下方にずれている。）。このずれ量（ずれ幅）は、軸部挿通孔４２１Ａに挿通されたボルト部材４３の軸部４３２のＸ軸方向への投影領域Ｐ１に、凸部挿入孔４２２１Ａに挿入された凸部２２３の少なくとも一部が重なる範囲内である。
【００４５】
また、二つの膨出部４２２１のそれぞれは、終端隣接部材２２における凸部挿入孔４２２１Ａに挿入されている凸部２２３とＹ軸方向に隣り合う凸部２２３を避けた位置に配置されている（即ち、前記隣り合う凸部２２３を避けた形状である）。これにより、一方の終端部材４１Ａにおいて、第二本体部２２１の一方の仮想傾斜線Ｄ１上に配置される二つの凸部２２３のそれぞれは、対応する膨出部４２２１の凸部挿入孔４２２１Ａに挿入され、第二本体部２２１の他方の仮想傾斜線Ｄ２上に配置される二つの凸部２２３のそれぞれは、平坦部４２２２と対向している。また、他方の終端部材４１Ｂにおいて、第二本体部２２１の他方の仮想傾斜線Ｄ２上に配置される二つの凸部２２３のそれぞれは、対応する膨出部４２２１の凸部挿入孔４２２１Ａに挿入され、第二本体部２２１の一方の仮想傾斜線Ｄ１上に配置される二つの凸部２２３のそれぞれは、平坦部４２２２と対向している。
【００４６】
以上のように構成される一対の終端部材４１のそれぞれは、第二部材４２２の二つの膨出部４２２１のそれぞれを終端隣接部材２２（第二本体部２２１）の外面２２１Ａに当接させた状態で配置されている（図５及び図６参照）。
【００４７】
図１及び図２に示すように、一対の連結部材４５は、Ｙ軸方向において複数の蓄電素子１０の両側に配置される。これら一対の連結部材４５のそれぞれは、Ｘ軸方向に延び且つＺ軸方向に間隔をあけて配置される一対の梁部４５０と、一対の梁部４５０の端部同士を連結する一対の端部連結部４５１と、Ｘ軸方向における途中位置において一対の梁部４５０同士を連結する中間連結部４５２と、を有する。本実施形態の連結部材４５は、複数の中間連結部４５２を有する。
【００４８】
インシュレータ６は、絶縁性を有する。このインシュレータ６は、連結部材４５と、複数の蓄電素子１０との間に配置される。具体的に、インシュレータ６は、連結部材４５における少なくとも複数の蓄電素子１０と対向する領域を覆う。これにより、インシュレータ６は、連結部材４５と、複数の蓄電素子１０との間を絶縁する。
【００４９】
バスバ８は、金属等の導電性を有する板状の部材である。バスバ８は、蓄電素子１０の外部端子１４同士を導通させる。バスバ８は、蓄電装置１において複数（複数の蓄電素子１０と対応する数）設けられる。本実施形態の複数のバスバ８は、蓄電装置１に含まれる複数の蓄電素子１０の全てを直列に接続する（導通させる）。
【００５０】
ボルト部材４３の軸部４３２に軸心周りの力が加わった場合、軸心方向と直交する方向の軸部４３２（詳しくは、軸部４３２の軸心）からの距離が大きくなるほど、終端隣接部材２２における終端部材４１との係合部位（本実施形態の例では、凸部２２３）に加わる力（トルク等の前記軸部４３２の軸心周りに加わる力に起因する力）が大きくなる。しかし、本実施形態の蓄電装置１によれば、終端隣接部材２２の凸部２２３がＸ軸方向における軸部４３２の投影領域と少なくとも一部が重なる位置において終端部材４１の本体４２に挿入されているため、前記距離（Ｘ軸方向と直交する方向の軸部４３２（軸心）からの距離）が十分に小さくなる。これにより、ボルト部材４３の軸部４３２に対して軸心周りの力が加わったときの終端部材４１から凸部２２３（終端隣接部材２２における終端部材４１と係合している部位）に加わる力を抑えることができる。
【００５１】
また、本実施形態の蓄電装置１では、終端部材４１が、ボルト部材４３が挿通される軸部挿通孔４２１Ａを有する第一部材４２１と、Ｘ軸方向（軸心方向）から見て少なくとも頭部４３１と重なる領域において該頭部４３１が第一部材４２１との間に位置するように該第一部材４２１とＸ軸方向に間隔をあけて配置される第二部材４２２と、を有する。
【００５２】
このように、終端部材４１が、少なくとも部分的に（Ｘ軸方向から見てボルト部材４３の頭部４３１と重なる領域が）二重構造となっているため、終端部材４１の強度が十分に確保される。しかも、凸部２２３が終端部材４１においてボルト部材４３（頭部４３１）と異なる位置にある第二部材４２２に挿入されているため（即ち、図１１に示すように、終端部材４１にボルト部材４３を介して凸部２２３を挿入する必要がないため）、ボルト部材４３の形状等による制約を受けずに凸部２２３の形状等が設定できる。即ち、凸部２２３の形状等の設計の自由度が大きい。
【００５３】
また、本実施形態の蓄電装置１では、第一部材４２１と第二部材４２２との間に間隔を設け、この間隔にボルト部材４３の頭部４３１を位置させることで、終端部材４１に対する終端隣接部材２２の配置においてボルト部材４３の頭部４３１が邪魔にならない。
【００５４】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５５】
上記実施形態の終端部材４１において、終端隣接部材２２の凸部２２３が挿入される部位は、第二部材４２２に設けられた孔（凸部挿入孔４２２１Ａ）であるが、この構成に限定されない。終端部材４１における凸部２２３が挿入される部位は、凹部（凸部挿入凹部）であってもよい。即ち、凸部２２３が挿入されることで、終端部材４１に対する終端隣接部材２２の位置決めができる構成であればよい。尚、図１１に示す例では、ボルト部材４３の頭部４３１に凸部挿入凹部４３１Ａが設けられ、この凸部挿入凹部４３１Ａに終端隣接部材２２の凸部２２３が挿入されているが、第二部材４２２や他の部材（第一部材４２１及び第二部材４２２以外の部材）に、凸部挿入凹部４３１Ａ等が設けられてもよい。
【００５６】
また、上記実施形態の蓄電装置１では、凸部２２３が終端隣接部材２２に設けられ、凸部挿入孔４２２１Ａが終端部材４１に設けられているが、この構成に限定されない。例えば、凸部（終端部材４１と終端隣接部材２２との係合部位）が終端部材４１に設けられ、前記凸部が挿入される凸部挿入孔又は凸部挿入凹部が終端隣接部材２２に設けられてもよい。
【００５７】
また、上記実施形態の終端部材４１では、第二部材４２２が膨出部４２２１と平坦部４２２２とを有しているが、この構成に限定されない。第二部材４２２は、膨出部４２２１のみを有していてもよい。かかる構成によっても、終端部材４１の強度を十分に確保することができる。
【００５８】
また、上記実施形態の終端部材４１では、第一部材４２１と第二部材４２２とにおいて、Ｘ軸方向に間隔があいている部位は、部分的（膨出部４２２１が設けられた部位のみ）であるが、この構成に限定されない。第一部材４２１と第二部材４２２とは、Ｙ−Ｚ面方向における略全体（略全域）がＸ軸方向に間隔をあけた構成でもよい。
【００５９】
また、上記実施形態の終端部材４１は、第一部材４２１と第二部材４２２とがＸ軸方向に重ねられた二重構造であるが、この構成に限定されない。終端部材４１は、一つの部材によって構成されてもよい。この場合、例えば図１１に示すように、ボルト部材４３の頭部４３１及び軸部４３２に凸部挿入凹部４３１Ａが設けられ、この凸部挿入凹部４３１Ａに終端隣接部材２２の凸部２２３が挿入される構成でもよい。かかる構成によっても、終端隣接部材２２の凸部２２３は、Ｘ軸方向における軸部４３２の投影領域Ｐ１と少なくとも一部が重なる位置において終端部材４１（本体４２）に挿入される。
【００６０】
上記実施形態の終端部材４１に配置されるボルト部材４３は二つであるが、一つ又は三つ以上でもよい。この場合、全てのボルト部材４３の軸部４３２とＸ軸方向から見て重なる位置のそれぞれに凸部２２３が挿入される部位が形成される必要は無く、前記凸部２２３が挿入される部位は、少なくとも一つ形成されていればよい。
【００６１】
また、上記実施形態の終端部材４１では、第一部材４２１にボルト部材４３が挿通されることで、終端部材４１の本体４２から軸部４３２が突出する構成であるが、この構成に限定されない。例えば、Ｘ軸方向に延びる軸部（ボルト部材４３の軸部４３２に相当する部材）が溶接等によって第一部材４２１に接続されることで、終端部材４１の本体４２から軸部が突出する構成であってもよい。
【００６２】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【符号の説明】
【００６３】
１…蓄電装置、２…隣接部材、２１…中間隣接部材、２１１…第一本体部、２１２…第一規制部、２２…終端隣接部材、２２１…第二本体部、２２１Ａ…第二本体部の外面、２２１Ｂ…第二本体部の内面、２２２…第二規制部、２２３…凸部、２２３０…周面、２２３１…基部、２２３２…テーパー部、２２４…突条、４…保持部材、４１…終端部材、４１Ａ…一方の終端部材、４１Ｂ…他方の終端部材、４２…本体、４２１…第一部材（第一部位）、４２１Ａ…軸部挿通孔、４２２…第二部材（第二部位）、４２２１…膨出部、４２２１Ａ…凸部挿入孔、４２２２…平坦部、４３…ボルト部材、４３１…頭部、４３１Ａ…凸部挿入凹部、４３２…軸部、４５…連結部材、４５０…梁部、４５１…端部連結部、４５２…中間連結部、６…インシュレータ、８…バスバ、１０…蓄電素子、１３…ケース、１３１…ケース本体、１３２…蓋板、１４…外部端子、Ｄ１、Ｄ２…仮想傾斜線、Ｐ１…軸部の投影領域、α…仮想線
【図１】
2019053826.tif 000003
【図２】
2019053826.tif 000004
【図３】
2019053826.tif 000005
【図４】
2019053826.tif 000006
【図５】
2019053826.tif 000007
【図６】
2019053826.tif 000008
【図７】
2019053826.tif 000009
【図８】
2019053826.tif 000010
【図９】
2019053826.tif 000011
【図１０】
2019053826.tif 000012
【図１１】
2019053826.tif 000013